(57)【要約】      （修正有）【課題】注射後に針を注射器内に取り込む安全注射器を提供する。【解決手段】注射の過程において、医療看護人員は注射後の注射針４５を、プランジャー２０の端部分で押して駆動部品のピストン３１を前進させると同時に、端部分の切断面２３１と針座の切断面４１２が相互に圧力を受け、離脱状態になる。また、ピストン３１を継続して押すことにより、その中の気体の圧力を受け、針座４０をプランジャー収納室２１内部に引き込み、注射後の注射針４５を安全に収納する。【選択図】図２
2007236689.tif 000002
【特許請求の範囲】
【請求項１】
注射筒、プランジャー、駆動部位、針座を含む安全注射器、前述の注射筒の内部には中空通路を設け、その端には容量室の凸端の注射筒カバーを設け、凸端内部には通し穴を設け、通し穴上には第一止まり面及び第一止まり面より大きな第二止まり面を設け、プランジャーは注射筒の中空通路に設置し、その中には止まり面の収納室を設け、端部分の周縁に円形槽を設け、両端面にはそれぞれ凹縁の切断面を設け、前述の駆動部位は注射筒の注射筒カバー内に設け、ピストン及びポンプを含み、当該ピストンには通し穴を設け、その外縁と通し穴の内縁はワッシャー、により、それぞれ注射筒カバー、ポンプと接続し、当該ポンプには中空通路を設け、その一端にはフランジ、もう一方の周縁には対応する通気穴を設け、前述の針座は駆動部位のポンプ内部に納められ、一端は伸びて大円径から徐々に小円径の第一棒部、第二棒部、第三棒部及び第四棒部に縮小し、且つ中央には通し穴及び一端の保持穴を設け、第一棒部の外縁とポンプのフランジは嵌り込み、第二棒部の周縁には円凹槽を設け、ワッシャーによりポンプの中空通し穴の上に支えられ、第三棒部の周縁には円凹槽を設け、ワッシャーにより注射筒の凸端の止まり面の上に支えられ、第四棒部は注射筒カバーの凸端の通し穴中に嵌り込むことを特徴とする一種の安全注射器。
【請求項２】
第一棒部の一端の延長に座体があり、座体側面には凹縁の切断面を設け、駆動部位の一側に嵌り込むことを特徴とする請求項１に述べる安全注射器。
【発明の詳細な説明】
【技術分野】
【０００１】
本考案は一種の安全注射器である。
【背景技術】
【０００２】
今日の医療科学技術領域中において、液体を注射器内部に収納する注射器を利用した注射がよく見られ、それは主に中空の外棒内部にプランジャーを嵌め込み、プランジャーにより注射器内部に収納された液体を押し動かし、注射器の端部分に嵌め込まれた注射針から注射・流出させることにより、注射の効果を達成する。医学界では一般に使用されているものである。
【０００３】
現在市場でよく見られる注射器は、注射器に外棒、プランジャー及び針座を備え、医療における注射の用途に用いられる場合、注射器のプランジャーの押し動かす力を利用して、注射器内部に収納した液体を、注射器端部分に嵌め込まれた注射針から注射・流出させる。ただ前述した周知の注射器は実際の注射の過程において、以下の問題の解決が待たれている、
（１）安全性に欠ける：注射器で使用者の身体部位に注射する場合、医療注射の過程に注射器には注射針を収納する設計がなされていない。注射後に再び、外に露わになった注射針に針カバーをかける。もしうっかり注射針で刺してしまうと、重大な危険が生じる。
（２）使用効果が優れない：注射器は注射の機能を持ち、注射器の注射針は凸出設計となっており、注射器の注射針で注射後、注射針と針カバーの被せる動作が必須である。医療看護人員は必ず手順を銘記しなければならず、操作に誤って注射針で刺し傷を負う状況が発生し、注射器により医療人員に感染する可能性を上げる。
【発明の開示】
【発明が解決しようとする課題】
【０００４】
本考案は一種の「安全注射器」を提供し、この設計により、実際の注射の過程において、医療看護人員は注射後の注射針を、プランジャー端部分で押して駆動部品のピストンを前進させると同時に、端部分の切断面と針座の切断面が相互に圧力を受け、離脱状態になる。また、ピストンを継続して押すことにより、その中の気体の圧力を受け、針座をプランジャー収納室内部に引き込み、注射後の注射針を安全に収納する。これが考案の主要な目的である。
【０００５】
上述の目的に対して、安全注射器は、注射筒、プランジャー、駆動部品及び針座を含む。注射筒の内部には中空の通路を設け、その上には注射筒カバーを設ける。プランジャー端部分の周縁に設けたパッドと注射筒の中空通路は緊密に合わさって動き、また注射筒に内に組み込まれ、且つピストン、ポンプの駆動部位を持つ。また、この駆動部位のピストンが前進すると同時に、端部分の切断面と針座の切断面は相互に圧力を受け、離脱状態になる。及びピストンを継続して動かすことにより、その中の気体の圧力を受け、針座をプランジャー収納室内部に引き込み、注射後の注射針を安全に収納して、注射後の注射針を安全に収納する。
【０００６】
上述のように、注射器では操作の不注意により注射針を刺してしまう危険な状況が発生し、注射器により医療人員に感染する可能性があることに鑑み、本案の考案人は安全注射器を特別に改良した。特に個別に設けた切断面の端部分と針座が相互に圧力を受け、離脱状態になり、及びピストンを継続して動かすことにより、その中の気体の圧力を受け、針座をプランジャー収納室内部に引き込むことにより、安全に収納する効果を得ることができる。
【課題を解決するための手段】
【０００７】
請求項１の発明は、注射筒、プランジャー、駆動部位、針座を含む安全注射器、前述の注射筒の内部には中空通路を設け、その端には容量室の凸端の注射筒カバーを設け、凸端内部には通し穴を設け、通し穴上には第一止まり面及び第一止まり面より大きな第二止まり面を設け、プランジャーは注射筒の中空通路に設置し、その中には止まり面の収納室を設け、端部分の周縁に円形槽を設け、両端面にはそれぞれ凹縁の切断面を設け、前述の駆動部位は注射筒の注射筒カバー内に設け、ピストン及びポンプを含み、当該ピストンには通し穴を設け、その外縁と通し穴の内縁はワッシャー、により、それぞれ注射筒カバー、ポンプと接続する。当該ポンプには中空通路を設け、その一端にはフランジ、もう一方の周縁には対応する通気穴を設け、前述の針座は駆動部位のポンプ内部に納められ、一端は伸びて大円径から徐々に小円径の第一棒部、第二棒部、第三棒部及び第四棒部に縮小し、且つ中央には通し穴及び一端の保持穴を設け、第一棒部の外縁とポンプのフランジは嵌り込み、第二棒部の周縁には円凹槽を設け、ワッシャーによりポンプの中空通し穴の上に支えられ、第三棒部の周縁には円凹槽を設け、ワッシャーにより注射筒の凸端の止まり面の上に支えられ、第四棒部は注射筒カバーの凸端の通し穴中に嵌り込むことを特徴とする一種の安全注射器としている。
請求項２の発明は、第一棒部の一端の延長に座体があり、座体側面には凹縁の切断面を設け、駆動部位の一側に嵌り込むことを特徴とする請求項１に述べる安全注射器としている。
【発明の効果】
【０００８】
（１）安全性を備える：当該注射器はプランジャー端部分を押して駆動部位のピストンを前進させると同時に、端部分の切断面と針座の切断面は相互に圧力を受け、離脱状態となる。またピストンを継続して推し進めるのにあわせ、その中の気体の圧力を受け、針座をプランジャー収納室内部に引き込み、注射後の注射針を収納し、極めて優れた安全性を提供する、
（２）良好な注射効果を提供する：注射筒カバーは注射筒に被せることができ、プランジャー収納室内部に引き込んだ針座上の注射針は注射筒カバーの上蓋で閉じ込められ、回収運搬過程にて刺し傷を負わず安全効果を大幅に向上させる。
【発明を実施するための最良の形態】
【０００９】
図１及び図２を参照すること。本考案の安全注射器は主に注射筒１０、プランジャー２０、駆動部位３０及び針座４０を含む。
【００１０】
その内、この注射筒１０内部には中空の通路１１を設け、その端には容量室１２０の凸端１２１の注射筒カバー１２を設け、凸端１２１内部には通し穴１２２を設け、通し穴１２２上には第一止まり面１２３及び第一止まり面より大きな第二止まり面１２４を設ける。
【００１１】
当該プランジャー２０は注射筒１０の中空通路１１に設置し、且つ緊密に合わさって動く。その中には収納室２１を設け、収納室２１内には止まり面２２を設け、その端部分２３周縁に円形槽２３０を設け、パッド２４により嵌り込み、端部分２３両端面にはそれぞれ凹縁２３２の切断面２３を設ける。
【００１２】
当該駆動部位３０は注射筒１０の注射筒カバー１２内に組み込まれ、ピストン３１及びポンプ３２を含む。このピストン３１には通し穴３１０を設け、その外縁と通し穴３１０内縁はワッシャー３１１、３１２により、それぞれ注射筒カバー１２、ポンプ３２と接続する。このポンプ３２はピストン３１通し穴３１０内に嵌め込み、その内には中空通し穴３２０を設け、その一端にはフランジ３２１を設け、ポンプ３２の他の一端周縁には対応する通気穴３２２を設ける。
【００１３】
この針座４０は駆動部位３０のポンプ３２内部に嵌め込まれ、一端は第一棒部４１、第二棒部４２、第三棒部４３及び第四棒４４に伸び、各棒部は大円径から徐々に小円径に縮小する。また中央には通し穴４００及び一端には注射針４５を置く保持穴４０１がある。その中で、第一棒部４１の外縁とポンプ３２のフランジ３２１は嵌り込み、一端の延長には座体４１０があり、座体４１０の側辺には凹縁４１１を持つ切断面４１２を設け、駆動部位３０の一側に嵌り込む。第二棒部４２周縁にはワッシャー４２１を入れることのできる円凹槽４２０を設け、ポンプ３２の中空通し穴３２０上を支える。第三棒部４３周縁にはワッシャー４３１を入れることのできる円凹槽４３０を設け、注射筒カバー１２の凸端１２１の止まり面１２３上を支える。第四棒部４４は注射筒カバー１２の凸端１２１の通し穴１２２中に嵌り込む。
【００１４】
前述の各図式並びに図３及び図４をあわせて参照すること。本考案の安全注射器を注射医療用途に用いるとき、プランジャー２０の押す力で、プランジャー２０の端部分２３は注射筒１０の中空通路１１一端から他の一端まで推し進める。そしてプランジャー２０の端部分２３と外縁が嵌り込み駆動部位３０の針座４０の座体４１０に接触し、プランジャー２０の端部分２３が座体４１０の外縁上に届いて、押し進めると同時に、プランジャー２０の端部分２３の切断面２３１は針座４０の第三棒部４３が注射筒１２を支える止まり面１２３の相互圧力を受ける。プランジャー２０の端部分２３の切断面２３１と針座４０の切断面４１２には、それぞれ凹縁２３２、４１１を設け、２つの切断面２３１、４１２の厚さをやや薄くすると、２つの切断面２３１、４１２はそれぞれ相互に圧力を受けるため、それぞれは端部２３、座体４１０と離脱状態を形成する。この時、プランジャー２０の端部分２３は再び継続して推進し、気体圧力（図４の矢印方向）を注射筒カバー１２の容量室１２０中の駆動部位３０のピストン３１に進め、気体圧力をそれぞれポンプ３２の他の端に対応する通気穴３２２から中空通し穴３２０に入り、気体圧力が戻って針座４０をプランジャー２０の収納室２１内部（図５の表示）に引き込み、注射後の注射針４５を安全に収納する。
【００１５】
また、前述の注射筒カバー１２の凸端１２１は注射針４５をプランジャー２０の収納室２１に置き、針を刺してしまう危険を生じることにはならない構造設計である。図６に示す実施例を参照すること。注射筒カバー１２は凸端１２１周縁に設けられた上蓋１２５を備え、上蓋１２５を注射筒カバー１２の凸端１２１上に嵌めることができる。これにより、上蓋１２５を利用して凸端１２１の通し穴１２２を塞ぐため、注射針４５を収納後にまた凸端１２１の外に飛び出すことを防ぎ、回収過程にて刺し傷を負わず安全効果を大幅に向上させる。
【００１６】
以上の説明で分かるように、本考案の安全注射器は使用者の身体部位に直接注射できる。使用者は針座４０の注射針４５で刺し傷を負わず、極めて優れた安全性を提供する。また注射後の注射針４５はプランジャー２０の端部分２３が駆動部位３０のピストン３１を前進させると同時に、端部分２３の切断面２３１と針座４０の切断面４１２が相互に圧力を受け、それぞれは端部分２３、座体４１０と離脱状態を形成する。またピストン３１を継続して推し進めることにあわせ、その内の気体圧力を受け、針座４０をプランジャー２０の収納室２１内部に引き込み、より優れた注射針４５の安全収納の効果を実現する。
【図面の簡単な説明】
【００１７】
【図１】本考案の安全注射器の立体分解図である。
【図２】本考案の安全注射器の組み合わせ解剖図である。
【図３】本考案の安全注射器のプランジャー推進の表示図（一）である。
【図４】本考案の安全注射器のプランジャー推進の表示図（二）である。
【図５】本考案の安全注射器の針座の収納状態の表示図である。
【図６】本考案の安全注射器の注射筒カバーに上蓋を加えた表示図である。
【符号の説明】
【００１８】
１０  注射筒
１１  中空通路
１２  注射筒カバー
２０  プランジャー
２１  収納室
２２  止まり面
２３  端部分
２４  パッド
３０  駆動部位
３１  ピストン
３２  ポンプ
４０  針座
４１  第一棒部
４２  第二棒部
４３  第三棒部
４４  第四棒部
４５  注射針
１２０  容量室
１２１  凸端
１２２、３１０、３２０、４００  通し穴
１２３  第一止まり面
１２４  第二止まり面
１２５  上蓋
２３０  円形槽
２３１、４１２  切断面
２３２  凹縁
３１１、３１２、４２１、４３１  ワッシャー
３２１  フランジ
３２２  通気穴
４０１  保持穴
４１０  座体
４１１  凹縁
４２０、４３０  円凹槽
【図１】
2007236689.tif 000003
【図２】
2007236689.tif 000004
【図３】
2007236689.tif 000005
【図４】
2007236689.tif 000006
【図５】
2007236689.tif 000007
【図６】
2007236689.tif 000008